(57)【要約】【課題】脱穀部の揺動選別棚において一番穀粒への穀稈切れの混入を防止し選別精度を向上させる。【解決手段】扱室から漏下した被選別物を受けて揺動移送しながら選別する脱穀部の揺動選別棚であって、揺動選別棚の上部には移送上手側から移送下手側にかけて穀粒移送板、網体で構成されていて穀粒の漏下するグレンシーブ、後部チャフシーブ、後部ストローラックを順次配設した粗選別部を設ける。揺動選別棚の下部には被選別物を穀粒と二番物に選別する網体からなる精選別部を設ける。これらの両選別部の上下中間位置に中間選別部を設け、この中間選別部を粗選別部のグレンシーブの下方に配置する。揺動選別棚の移送上手側下方に唐箕を配置し、唐箕からの選別風を上部選別風路を経て中間選別部の前部チャフシーブに送り、唐箕からの選別風を下部選別風路を経て粗選別部及び精選別部の移送下手側に送るように構成する。【選択図】図１
2005253316.tif 000002
【特許請求の範囲】
【請求項１】
扱室２から漏下した被選別物を受けて揺動移送しながら一番穀粒と二番物とに選別する脱穀部の揺動選別棚１０であって、揺動選別棚１０の上部には移送上手側から下手側にかけて穀粒移送板１６、網体で構成されていて穀粒の漏下するグレンシーブ１７、後部チャフシーブ１８、後部ストローラック２０が順次配置されている粗選別部Ａを設け、揺動選別棚１０の下部には被選別物を穀粒と二番物に選別する網体からなる精選別部Ｂを設け、これらの両選別部Ａ，Ｂの上下中間位置に移送上手側の中間穀粒移送板２３と移送下手側の前部チャフシーブ２４からなる中間選別部Ｃを設けると共に、該中間選別部Ｃを粗選別部Ａのグレンシーブ１７の下方に配置し、前記揺動選別棚１０の移送上手側下方に唐箕１１を配置し、唐箕１１から上部選別風路２８に吹出した選別風を中間選別部Ｃの前部チャフシーブ２４に送り、唐箕１１から下部選別風路２９に吹出した選別風を粗選別部Ａ及び精選別部Ｂの移送下手側に送ることを特徴とする脱穀部の揺動選別棚。
【請求項２】
粗選別部Ａの後部チャフシーブ１８における後部チャフ板１８ａ，…の傾斜角度、及び、中間選別部Ｃの前部チャフシーブ２４におけるチャフ板２４，…の傾斜角度を別々に調節可能に構成したことを特徴とする請求項１記載の脱穀部の揺動選別棚。
【請求項３】
中間選別部Ｃにおける前部チャフシーブ２４の前部チャフ板２４ａ，…移送上手側を高位に移送下手側を低位になるように傾斜状に構成したことを特徴とする請求項１記載の脱穀部の揺動選別棚。
【発明の詳細な説明】
【技術分野】
【０００１】
本発明は、脱穀部の揺動選別棚に関するものである。
【背景技術】
【０００２】
脱穀部の揺動選別装置において、扱室から漏下した選別処理物をチャフシーブで受け止めて揺動移送しながら粗選別を行なう粗選別部と、選別処理物を穀粒と二番物に選別する精選別部とを設け、両選別部の上下中間位置に、固定グレンパンと複数本の篩い線を備える中間選別部を配置し、唐箕からの選別風の一部を前記両選別部の間に導入可能な開口部を形成し、選別風の開口部への導入量を増減可能に調整する風向き板を設けたものはは公知である（特許文献１）。
【特許文献１】特開平７−２７４６９６号公報（４頁、第３図）
【発明の開示】
【発明が解決しようとする課題】
【０００３】
従来技術では粗選別部と精選別部との間に配置する中間選別部を、固定グレンパンの下手側に複数本の篩い線を設ける構成であるので、粗選別部から落下する選別処理物に穀稈切れが混じっていると、穀稈切れが篩い線から下方の精選別部に落下し、精選別部での穀粒の選別を阻害したり、穀粒に穀稈切れが一番穀粒に混じるという不具合が発生する。そこで、この発明はこのような不具合を解消しようとするものである。
【課題を解決するための手段】
【０００４】
前記問題点を解決するために、この発明は次のような技術的手段を講じた。
【０００５】
請求項１の発明は、扱室２から漏下した被選別物を受けて揺動移送しながら一番穀粒と二番物とに選別する脱穀部の揺動選別棚１０であって、揺動選別棚１０の上部には移送上手側から下手側にかけて穀粒移送板１６、網体で構成されていて穀粒の漏下するグレンシーブ１７、後部チャフシーブ１８、後部ストローラック２０が順次配置されている粗選別部Ａを設け、揺動選別棚１０の下部には被選別物を穀粒と二番物に選別する網体からなる精選別部Ｂを設け、これらの両選別部Ａ，Ｂの上下中間位置に移送上手側の中間穀粒移送板２３と移送下手側の前部チャフシーブ２４からなる中間選別部Ｃを設けると共に、該中間選別部Ｃを粗選別部Ａのグレンシーブ１７の下方に配置し、前記揺動選別棚１０の移送上手側下方に唐箕１１を配置し、唐箕１１から上部選別風路２８に吹出した選別風を中間選別部Ｃの前部チャフシーブ２４に送り、唐箕１１から下部選別風路２９に吹出した選別風を粗選別部Ａ及び精選別部Ｂの移送下手側に送ることを特徴とする脱穀部の揺動選別棚とする。
【０００６】
前記構成によると、扱室２から粗選別部Ａに漏下した被選別物は穀粒移送板１６、グレンシーブ１７、後部チャフシーブ１８及び後部ストローラック２０を経て移送上手側から下手側に移送されながら粗選別され、藁屑類は後部ストローラック２０から機外に排出され、穀粒を主体とした被選別物はグレンシーブ１７から中間選別部Ｃに漏下する。中間選別部Ｃに漏下した被選別物は下り傾斜の中間穀粒移送板２３を経て前部チャフシーブ２４に移送されて選別される。被選別物中の穀稈切れや藁屑類は前部チャフシーブ２４を経て精選別部Ｂの下手側の網体上に落下し更に網体上を下手側に移送されて二番受樋１３に落下選別され、また、前部チャフシーブ２４から漏下した穀粒は精選別部Ｂの選別網から漏下し一番受樋１２に落下選別される。
【０００７】
また、中間選別部Ｃには唐箕１１から上部選別風路２８を経て送られた選別風により選別され、また、粗選別部Ａ及び精選別部Ｂの下手側には唐箕１１から下部選別風路２９を経て送られた選別風により選別される。
【０００８】
請求項２の発明は、粗選別部Ａの後部チャフシーブ１８における後部チャフ板１８ａ，…の傾斜角度、及び、中間選別部Ｃの前部チャフシーブ２４におけるチャフ板２４，…の傾斜角度を別々に調節可能に構成したことを特徴とする請求項１記載の脱穀部の揺動選別棚とする。
【０００９】
前記構成によると、請求項１発明の前記作用に加えて、多量の被選別物を選別する場合には、前部チャフシーブ２４の前部チャフ板２４ａ，…の傾斜角度を急傾斜にすると、被選別物を精選別部Ｂの選別網の移送上手側に多量に導くことができ穀粒のロスを減少させることができる。また、少量の被選別物を選別する場合には、前部チャフシーブ２４の前部チャフ板２４ａ，…の傾斜角度を緩傾斜に調整すると、被選別物を精選別部Ｂの選別網の移送下手側に導くことができて上手側及び下手側の穀粒を均等化し余裕のある選別をすることができる。
【００１０】
請求項３の発明は、中間選別部Ｃにおける前部チャフシーブ２４の前部チャフ板２４ａ，…移送上手側を高位に移送下手側を低位になるように傾斜状に構成したことを特徴とする請求項１記載の脱穀部の揺動選別棚とする。
【００１１】
前記構成によると、請求項１の発明の前記作用に加えて、前部チャフシーブ２４の前部チャフ板２４ａ，…の移送上手側から下手側の全域にわたって唐箕１１から上部選別風路２８を経た選別風を多量の送ることができ、また、中間選別部Ｃの中間穀粒移送板２３及び前部チャフシーブ２４を経て精選別部Ｂに移送される被選別物中の穀稈切れの流れを円滑にすることができる。
【発明の効果】
【００１２】
請求項１の発明は、粗選別部Ａのグレンシーブ１７から中間選別部Ｃに漏下した被選別物中の穀粒は前部チャフシーブ２４及び精選別部Ｂの網体を漏下して一番受樋１２に落下選別され、また、被選別物中の穀稈切れや藁屑類は前部チャフシーブ２４から精選別部Ｂの下手側に送られて二番受樋１３に落下選別され、穀稈切れや藁屑類の一番穀粒への混入を防止しながら選別精度を向上させることができる。
【００１３】
請求項２の発明は、請求項１の発明の前記効果に加えて、中間選別部Ｃにおける後部チャフ板１８ａ，…の傾斜角度を緩急に調節することにより、被選別物の多少に対応し選別精度を向上させることができる。
【００１４】
請求項３の発明は、中間選別部Ｃの中間穀粒移送板２３及び前部チャフシーブ２４から精選別部Ｂへの被選別物の流れを円滑にし、選別精度を向上させることができる。
【発明を実施するための最良の形態】
【００１５】
（実施例１）
【００１６】
以下本発明の実施の一形態を図面に基づき説明する。
【００１７】
図１及び図２はコンバインの脱穀部を示している。脱穀部は、フィードチエン１により穀稈の株元を挟持しながら搬送して穂先部を扱室２内で回転駆動される扱胴３により脱穀するように構成し、脱穀処理されて受網４を漏下した脱穀処理物を下方の選別部５で穀粒、穀稈付き穀粒等の二番物及び藁屑類に選別し、選別された穀粒を一番揚穀機（図示省略）によりグレンタンク（図示省略）に揚穀貯溜し、二番物を二番揚穀機６により処理室７に還元して再度脱穀処理し、藁屑類は選別部５の後部から排塵ファン８により機外に排出するように構成している。
【００１８】
また、扱室２の横側方には処理室７を配置し、処理室７には処理胴９を回転自在に設けている。この処理胴９を機体前側に設けるものを小径処理胴９ａに、後側に設けるものを大径処理胴９ｂに構成して、処理室７における小径処理胴９ａの後端部に二番揚穀機６からの二番物を還元し機体前側に送りながら再度の脱穀処理をし、また、処理室７における大径処理胴９の前端部に扱室２の下手側に送られた未脱穀物を供給して機体後側に送りながら脱穀処理し藁屑類を揺動選別棚１０の下手側に供給するように構成している。
【００１９】
選別部５は次のように構成されている。即ち、扱室２から漏下した脱穀物を揺動移送しながら篩い選別する揺動選別棚１０、この揺動選別棚１０に選別風を供給して脱穀物を風選し藁屑類を移送下手側に吹き飛ばす唐箕１１、選別された穀粒を受ける一番ラセン１１ａ付き一番受樋１２、選別された二番物を受ける二番ラセン１３ａ付き二番受樋１３、揺動選別棚１０で選別されて後側に吹き飛ばした藁屑類を機外に排出する排塵ファン８等により構成されている。
【００２０】
次に、揺動選別棚１０について説明する。
【００２１】
この揺動選別棚１０はスライド案内溝１４とクランク揺動機構１５により揺動される平面長方形状の中抜き揺動選別枠体１０ａの内側上部には粗選別部Ａを構成している。この粗選別部Ａは、移送上手側から移送下手側にかけて移送突起付きの穀粒移送板１６、網体で構成されていて穀粒の漏下するグレンシーブ１７、後部チャフシーブ１８、後部チャフシーブ１８の上方に設けた前部ストローラック１９、後部チャフシーブ１８の下手側に位置する後部ストローラック２０により構成されていて、扱室２から漏下した脱穀物を受けて揺動移送しながら粗選別する構成である。
【００２２】
そして、後部チャフシーブ１８は、横軸芯回りに回動調節自在の複数の後部チャフ板１８ａ，…を左右方向に並列配置し、各後部チャフ板１８ａ，…をチャフシーブ連動板２１に連係し、例えば、調整モータ（図示省略）によりチャフシーブ連動板２１を前後移動し後部チャフ板１８ａ，…の傾斜角度を緩急に調整可能に構成している。
【００２３】
また、前部ストローラック１９の前端部には所定間隔の篩い線２２を移送上手に向けて設け、この篩い線２２を扱室２の下手側端部下方に設けた排塵口２ａの下方に対向配置している。また、前部ストローラック１９は短い短藁屑選別篩い１９ａ，…及び長い長藁屑選別篩い１９ｂ，…を左右方向に交互に並列配置し、短藁屑選別篩い１９ａ，…は後上りに傾斜してその下手側端部を長藁屑選別篩い１９ｂ，…の中途部上方に臨ませている。
【００２４】
中抜き揺動選別枠体１０ａの内側下部には、選別網で構成されていて穀粒の漏下する精選別部Ｂを移送上手側から移送下手側にわたって設け、粗選別部Ａから漏下した穀粒を主体とする被選別物を揺動移送しながら選別し、穀粒を移送上手側の一番受樋１２に選別漏下し、二番物を移送下手側に配置した二番受樋１３に落下選別するように構成している。
【００２５】
また、粗選別部Ａと精選別部Ｂとの上下方向中間部に、移送上手側から移送下手側にわたって下り傾斜の中間穀粒移送板２３及び前部チャフシーブ２４からなる中間選別部Ｃを設けている。しかして、粗選別部Ａから漏下した被選別物を中間穀粒移送板２３により揺動移送しながら前部チャフシーブ２４に供給し、前部チャフシーブ２４で風選し、穀粒をチャフシーブ２４から漏下し、穀稈切れや藁屑類を前部チャフシーブ２４上を下手側に送り精選別部Ｂの下手側に落下供給しながら選別する。
【００２６】
そして、前部チャフシーブ２４は、横軸芯回りに回動調節自在の複数の前部チャフ板２４ａ，…を左右方向に並列配置し、各前部チャフ板２４ａ，…を前部チャフシーブ連動板２５に連係し、例えば、調整モータ（図示省略）により前部チャフシーブ連動板２５を前後移動して前部チャフ板２４ａ，…の傾斜角度を調整可能に構成している。
【００２７】
揺動選別棚１０の移送上手側の穀粒移送板１６の下方に唐箕１１を配置し、唐箕１１の吹出し口には上部風割２６及び下部風割２７を設けている。しかして、唐箕１１の上部ケース壁１１ａと上部風割２６との間の上部選別風路２８から吹き出した副選別風は中間穀粒移送板２３の下方を経由して前部チャフシーブ２４に流れ、更に精選別部Ｂ及び粗選別部Ａの下手側に流れる。また、上部風割２６と下部風割２７の間の主選別風路（上部）２９ａ、及び、下部風割２７と下部ケース壁１１ｂの間の主選別風路（下部）２９ｂに吹き出した主選別風は、精選別部Ｂ及び粗選別部Ａの下手側に流れる構成である。
【００２８】
前記のように、粗選別部Ａのグレンシーブ１７の下方部位で且つ後部チャフシーブ１８の移送上手側には、中間穀粒移送板２３及び前部チャフシーブ２４からなる中間選別部Ｃを配置したので、粗選別部Ａのグレンシーブ１７から漏下した被選別物を下り傾斜の中間穀粒移送板２３を介して前部チャフシーブ２４に供給し、また、唐箕１１から上部選別風路２８を経て前部チャフシーブ２４に選別風が供給されて被選別物を浮遊選別する。しかして、穀粒は前部チャフシーブ２４の前部チャフ板２４ａ，…から漏下し、次いで、精選別部Ｂの選別網から漏下して一番受樋１２に選別され、また、被選別物に混じっている穀稈切れや藁屑類は前部チャフシーブ２４の前部チャフ板２４ａ，…及び精選別部Ｂの選別網上を下手側に送られて二番受樋１３に落下選別され選別能力を向上させることができる。
【００２９】
前記のように、粗選別部Ａのグレンシーブ１７の下方部位で且つ後部チャフシーブ１８の移送上手側には、中間穀粒移送板２３及び前部チャフシーブ２４からなる中間選別部Ｃを設け、後部チャフシーブ１８の後部チャフ板１８ａ，…と前部チャフシーブ２４の前部チャフ板２４ａ，…とを別々に傾斜調節可能に構成したので、多量の被選別物を選別する場合には前部チャフシーブ２４の前部チャフ板２４ａ，…の傾斜角度を急角度に調整する。
【００３０】
すると、前部チャフ板２４ａ，…により選別物を移送上手側で精選別部Ｂの選別網上に導き長い選別行程を取ることができ穀粒のロスを減少させることができ、また、上部選別風路２８を経て前部チャフシーブ２４及び精選別部Ｂに選別風を十分供給することができ選別精度を向上させることができる。
【００３１】
また、少量の被選別物を選別する場合には、前部チャフシーブ２４の前部チャフ板２４ａ，…を緩傾斜に調整する。すると、緩傾斜の前部チャフ板２４ａ，…により被選別物を移送下手側の精選別部Ｂの選別網上に導くことができて余裕を持った選別が可能となり選別精度を向上させることができる。また、穀粒の供給される精選別部Ｂの選別網上には主選別風路（上部）２９ａ、主選別風路（下部）２９ｂ及び上部選別風路２８から多量の選別風が供給されて風選され、穀稈切れや枝梗付き穀粒を下手側に移送し一番受樋１２への混入を減少させて選別精度を向上させることができる。
【００３２】
なお、前部チャフ板２４ａ，…及び後部チャフ板１８ａ，…の傾斜角度を調整するにあたり、コンバインの車速を車速センサ（図示省略）で検出したり、あるいは、フィードチエン１の移送速度をフィードチエンセンサ（図示省略）で検出して作業能率を検出し、前部チャフシーブ２４の前部チャフ板２４ａ，…の傾斜角度を関連的に調整したり、あるいは、前部チャフシーブ２４の前部チャフ板２４ａ，…及び後部チャフシーブ１８の後部チャフ板１８ａ，…の傾斜角度を関連的に調整するように構成してもよい。
【００３３】
また、粗選別部Ａと精選別部Ｂとの上下方向中間部には、移送上手側の穀粒移送板１６及び下手側の前部チャフシーブ２４からなる中間選別風路部Ｃを設け、この中間穀粒移送板２３の上手側を後下がりの急傾斜に構成し、中間穀粒移送板２３の下手側を後下がりの緩傾斜に構成し、精選別部Ｂの選別網の上手側である中間穀粒移送板２３の下方対応部位を後下がりの傾斜に構成し、選別網の下手側である前部チャフシーブ２４の下方対応部位を後上りの傾斜に構成し、唐箕１１からの上部選別風路２８を精選別部Ｂの選別網の上手側及び中間選別部Ｃの前部チャフシーブ２４に導くように構成したので、前部チャフシーブ２４の移送方向全域に上部選別風路２８から多量の選別風を送ることができ、中間選別部Ｃ前部チャフシーブ２４及び精選別部Ｂの下手側の選別網まで被選別物を円滑に導くことができ選別精度を向上させることができる。
【００３４】
また、後部チャフシーブ１８の複数の後部チャフ板１８ａ，…を左右方向に並列配置して横軸芯回りに回動調節自在に軸支するにあたり、上部の横軸芯１８ｂ，…回りに回動調節自在に構成し、前部チャフシーブ２４の複数の前部チャフ板２４ａ，…を左右方向に並列配置して横軸芯回りに回動調節自在に軸支するにあたり、下部の横軸芯２４ｂ，…回りに回動するように構成し、最も上手側の前部チャフ板２４ａ，…の横軸芯２４ｂを前記中間穀粒移送板２３の下手側端部下方部位に所定空間を空けて配置している。
【００３５】
しかして、前部チャフ板２４ａ，…の回動中心が上部選別風路２８の上手側にあるため、前部チャフシーブ２４の前部チャフ板２４ａ，…の傾斜角度を調節しても各前部チャフ板２４ａ，…に選別風を均等に分配し選別精度を向上させることができる。また、前部チャフ板２４ａ，…を緩傾斜に調節した場合には、被選別物を精選別部Ｂの選別網の下手側に円滑に導くことができ選別網により主選別風路（上部）２９ａ、主選別風路（下部）２９ｂの豊富な選別風を受けて良好に選別することができる。
【００３６】
また、中間選別部Ｃの前部チャフシーブ２４における最も下手側の前部チャフ板２４ａの上端部を、粗選別部Ａの後部チャフシーブ１８における最も上手側にある後部チャフ板１８ａの下端よりも下方に位置するように構成している。しかして、唐箕１１から上部選別風路２８を経て前部チャフ板２４ａ，…に流れた選別風が後部チャフシーブ１８の後部チャフ板１８ａ，…に円滑に導かれ後部チャフ板１８ａ，…での選別を良好にすることができる。
【００３７】
また、粗選別部Ａのグレンシーブ１７の下手側端部を後続する後部チャフシーブ１８の最も上手側の後部チャフ板１８ａの上端部よりも下方に位置するように構成している。しかして、グレンシーブ１７により大量の被選別物が移送されても、グレンシーブ１７の下手側端部と後部チャフシーブ１８の移送上手側の後部チャフ板１８ａとの間に一時的に溜って停滞し、その後に後部チャフシーブ１８の後部チャフ板１８ａ，…に移送されることとなり、急激に過度の被選別物が後部チャフシーブ１８に供給されることがなく供給の均等化を図り選別精度の向上を図ることができる。
【００３８】
また、粗選別部Ａを移送上手側から移送下手側にわたって穀粒移送板１６、網体で構成されていて穀粒の漏下するグレンシーブ１７、後部チャフシーブ１８、後部ストローラック２０を設け、網体により構成されているグレンシーブ１７の網目を上手側から下手側にかけて順次粗い網目に構成している。しかして、グレンシーブ１７の上手側部分から穀稈切れや枝梗付き穀粒の精選別部Ｂへの落下を防止し、一番受樋１２への穀稈切れや枝梗付き穀粒の落下を少なくし選別精度を向上させることができる。
【００３９】
次に、図３に基づき中間選別部Ｃの前部チャフシーブ２４及び粗選別部Ａの後部チャフシーブ１８の傾斜角度調節装置について説明する。
【００４０】
後部チャフシーブ１８の複数の後部チャフ板１８ａ，…の下側の自由端側にチャフシーブ連動板２１を連係し、前部チャフシーブ２４の前部チャフ板２４ａ，…の自由端側に前部チャフシーブ連動板２５を連係している。そして、揺動選別枠体１０ａに軸支した調節アーム３０の一端をチャフシーブ連動板２１にピン連結し、調節アーム３０の一端と前部チャフシーブ連動板２５とをロッド３１を介してピン連結し、調節モータ（図示省略）により押し引きされる調節ワイヤ３２を調節アーム３０の他端部に連結し、後部チャフシーブ１８の後部チャフ板１８ａ，…と前部チャフシーブ２４の前部チャフ板２４ａ，…を共に急傾斜角度に調節したり、あるいは、緩傾斜角度に調節するように構成している。
【００４１】
しかして、構成を簡単化しながら単一の調節ワイヤ３２により後部チャフシーブ１８の後部チャフ板１８ａ，…及び前部チャフシーブ２４の前部チャフ板２４ａ，…を関連的に調節することができる。
【図面の簡単な説明】
【００４２】
【図１】脱穀部の切断側面図。
【図２】脱穀部の切断平面図。
【図３】要部の切断側面図。
【符号の説明】
【００４３】
２      扱室
１０      揺動選別棚
１１      唐箕
１６      穀粒移送板
１７      グレンシーブ
１８      後部チャフシーブ
１８ａ    後部チャフ板
２０      後部ストローラック
２３      中間穀粒移送板
２４      前部チャフシーブ
２４ａ    前部チャフ板
２８      上部選別風路
２９      下部選別風路
Ａ      粗選別部
Ｂ      精選別部
Ｃ      中間選別部
【図１】
2005253316.tif 000003
【図２】
2005253316.tif 000004
【図３】
2005253316.tif 000005